(57)【要約】【課題】情報過多による煩わしさを軽減する。【解決手段】搬送制御部（21）は、貨幣の搬送が行われる貨幣処理において、識別部（108）において識別された貨幣がリジェクト貨幣に該当する場合に、貨幣がリジェクト部（102）に搬送されるように貨幣処理装置（10）の動作を制御する。リジェクト制御部（22）は、同一のリジェクト要因によりリジェクト部（102）にリジェクト貨幣が搬送される頻度が予め定められた出力条件を満たしている場合に、リジェクト貨幣に関するリジェクト情報を出力する。【選択図】図２
2019079178.tif 000002
【特許請求の範囲】
【請求項１】
貨幣を処理する貨幣処理装置であって、
前記貨幣を搬送する搬送部と、
前記貨幣を識別する識別部と、
リジェクト要因を有する貨幣であるリジェクト貨幣が搬送されるリジェクト部と、
前記貨幣が搬送される貨幣処理において、前記識別部において識別された貨幣が前記リジェクト貨幣に該当する場合に、該貨幣が前記リジェクト部に搬送されるように前記貨幣処理装置の動作を制御する搬送制御部と、
同一のリジェクト要因により前記リジェクト部に前記リジェクト貨幣が搬送される頻度が予め定められた出力条件を満たしている場合に、該リジェクト貨幣に関するリジェクト情報を出力するリジェクト制御部とを備えている
ことを特徴とする貨幣処理装置。
【請求項２】
請求項１において、
前記リジェクト情報は、前記リジェクト貨幣のリジェクト要因に関する情報および該リジェクト要因の対処方法に関する情報のうち少なくとも一方を含んでいる
ことを特徴とする貨幣処理装置。
【請求項３】
請求項１または２において、
前記出力条件は、前記同一のリジェクト要因により前記リジェクト部に前記リジェクト貨幣が搬送される頻度と相関のあるリジェクト頻度相関値が予め定められた出力閾値を上回るという条件である
ことを特徴とする貨幣処理装置。
【請求項４】
請求項３において、
前記リジェクト頻度相関値は、同一のリジェクト要因により前記リジェクト部に連続して搬送される前記リジェクト貨幣の連続枚数、同一のリジェクト要因により前記リジェクト部に搬送される前記リジェクト貨幣の合計枚数、前記貨幣処理において同一のリジェクト要因により前記リジェクト部に搬送される前記リジェクト貨幣の総合計枚数、前記貨幣処理において搬送される前記貨幣の総枚数に対して該貨幣処理において同一のリジェクト要因により前記リジェクト部に搬送される前記リジェクト貨幣の総合計枚数が占める割合のいずれか１つに該当する
ことを特徴とする貨幣処理装置。
【請求項５】
請求項１〜４のいずれか１項において、
前記出力条件は、変更可能となっている
ことを特徴とする貨幣処理装置。
【請求項６】
請求項１〜５のいずれか１項において、
前記出力条件は、複数のリジェクト要因毎に定められており、
前記リジェクト制御部は、前記複数のリジェクト要因毎に、該リジェクト要因により前記リジェクト部に前記リジェクト貨幣が搬送される頻度が該リジェクト要因に対応する出力条件を満たしている場合に、該リジェクト貨幣に関するリジェクト情報を出力する
ことを特徴とする貨幣処理装置。
【請求項７】
請求項１〜６のいずれか１項において、
前記リジェクト制御部は、前記貨幣処理において前記貨幣の搬送が行われている期間中に前記リジェクト情報を出力する
ことを特徴とする貨幣処理装置。
【請求項８】
請求項１〜６のいずれか１項において、
前記リジェクト制御部は、前記貨幣処理において前記貨幣の搬送が完了した後に前記リジェクト情報を出力する
ことを特徴とする貨幣処理装置。
【請求項９】
請求項１〜８のいずれか１項において、
前記搬送制御部は、前記同一のリジェクト要因により前記リジェクト部に前記リジェクト貨幣が搬送される頻度が予め定められた停止条件を満たしている場合に、前記貨幣の搬送が停止するように前記貨幣処理装置の動作を制御し、
前記停止条件において要求される前記同一のリジェクト要因により前記リジェクト部に前記リジェクト貨幣が搬送される頻度は、前記出力条件において要求される該同一のリジェクト要因により該リジェクト部に該リジェクト貨幣が搬送される頻度よりも高くなっている
ことを特徴とする貨幣処理装置。
【請求項１０】
請求項１〜９のいずれか１項において、
前記貨幣が投入される投入部と、
前記貨幣を収納する収納部とを備え、
前記貨幣処理は、前記投入部に投入された貨幣が前記識別部において識別されて該識別部における識別結果に応じて前記リジェクト部または前記収納部に搬送される処理である
ことを特徴とする貨幣処理装置。
【請求項１１】
請求項１〜９のいずれか１項において、
前記貨幣の収納と繰出を行う収納部と、
前記貨幣が払い出される払出部とを備え、
前記貨幣処理は、前記収納部から繰り出された貨幣が前記識別部において識別されて該識別部における識別結果に応じて前記リジェクト部または前記払出部に搬送される処理である
ことを特徴とする貨幣処理装置。
【発明の詳細な説明】
【技術分野】
【０００１】
ここに開示する技術は、貨幣処理装置に関する。
【背景技術】
【０００２】
従来、硬貨や紙幣などの貨幣を処理する貨幣処理装置が知られている。例えば、特許文献１には、顧客が投入した紙葉類が受け付けられない場合にその理由と対処方法を通知する紙葉類処理装置が開示されている。この紙葉類処理装置では、顧客により紙葉類投入部に投入された紙葉類に外形異常がある（または紙葉類の投入紙葉類画像データが受付不可画像データに一致または類似する）と鑑別結果判定部により判定されたとき、その紙葉類が紙葉類投入部に返却されるとともに、その紙葉類の外形異常の状態（または紙葉類の種類）と受付不可である理由とその対処方法のうち少なくとも１つが報知される。
【先行技術文献】
【特許文献】
【０００３】
【特許文献１】特開２００５−３５３００５号公報
【発明の概要】
【発明が解決しようとする課題】
【０００４】
しかしながら、特許文献１の紙葉類処理装置では、紙葉類投入部に投入された紙葉類に受け付けられない理由（リジェクト要因）がある毎に、その紙葉類を受け付けられない理由などの情報が報知されることになるので、操作者は、受け付けられない紙葉類の枚数と同数の報知に対応することになる。特に、複数枚の紙葉類が同一の理由により受け付けられない場合、同一の情報が操作者に複数回報知されることになるので、操作者にとって煩わしい。
【０００５】
そこで、ここに開示する技術は、情報過多による煩わしさを軽減することが可能な貨幣処理装置を提供することを目的とする。
【課題を解決するための手段】
【０００６】
ここに開示する技術は、貨幣を処理する貨幣処理装置に関し、この貨幣処理装置は、前記貨幣を搬送する搬送部と、前記貨幣を識別する識別部と、リジェクト要因を有する貨幣であるリジェクト貨幣が搬送されるリジェクト部と、前記貨幣が搬送される貨幣処理において、前記識別部において識別された貨幣が前記リジェクト貨幣に該当する場合に、該貨幣が前記リジェクト部に搬送されるように前記貨幣処理装置の動作を制御する搬送制御部と、同一のリジェクト要因により前記リジェクト部に前記リジェクト貨幣が搬送される頻度が予め定められた出力条件を満たしている場合に、該リジェクト貨幣に関するリジェクト情報を出力するリジェクト制御部とを備えている。
【０００７】
前記の構成では、リジェクト情報（リジェクト貨幣に関する情報）を出力することにより、リジェクト要因を有する貨幣があることを確認させることができる。また、同一のリジェクト要因によりリジェクト部にリジェクト貨幣が搬送される頻度が出力条件を満たしている場合にリジェクト情報を出力することにより、同一のリジェクト要因によりリジェクト部にリジェクト貨幣が搬送される毎にリジェクト情報が出力されることを防止することができる。これにより、情報過多による煩わしさを軽減することができる。
【０００８】
前記リジェクト情報は、前記リジェクト貨幣のリジェクト要因に関する情報および該リジェクト要因の対処方法に関する情報のうち少なくとも一方を含んでいてもよい。
【０００９】
前記の構成では、リジェクト要因およびリジェクト要因の対処方法のうち少なくとも一方を確認させることができる。これにより、リジェクト要因の解消を促すことができる。
【００１０】
前記出力条件は、前記同一のリジェクト要因により前記リジェクト部に前記リジェクト貨幣が搬送される頻度と相関のあるリジェクト頻度相関値が予め定められた出力閾値を上回るという条件であってもよい。
【００１１】
前記の構成では、リジェクト頻度相関値が出力閾値を上回る場合にリジェクト情報を出力することができる。これにより、同一のリジェクト要因によりリジェクト部にリジェクト貨幣が搬送される毎にリジェクト情報が出力されることを防止することができるので、情報過多による煩わしさを軽減することができる。
【００１２】
前記リジェクト頻度相関値は、同一のリジェクト要因により前記リジェクト部に連続して搬送される前記リジェクト貨幣の連続枚数、同一のリジェクト要因により前記リジェクト部に搬送される前記リジェクト貨幣の合計枚数、前記貨幣処理において同一のリジェクト要因により前記リジェクト部に搬送される前記リジェクト貨幣の総合計枚数、前記貨幣処理において搬送される前記貨幣の総枚数に対して該貨幣処理において同一のリジェクト要因により前記リジェクト部に搬送される前記リジェクト貨幣の総合計枚数が占める割合のいずれか１つに該当するものであってもよい。
【００１３】
前記の構成では、同一のリジェクト要因によりリジェクト部に搬送されるリジェクト貨幣の合計枚数、貨幣処理において同一のリジェクト要因によりリジェクト部に搬送されるリジェクト貨幣の総合計枚数、貨幣処理において搬送される貨幣の総枚数に対して貨幣処理において同一のリジェクト要因によりリジェクト部に搬送されるリジェクト貨幣の総合計枚数が占める割合のいずれかに基づいて、リジェクト情報を適切に出力することができる。
【００１４】
前記出力条件は、変更可能となっていてもよい。
【００１５】
前記の構成では、出力条件を適切に設定することができる。
【００１６】
前記出力条件は、複数のリジェクト要因毎に定められていてもよい。前記リジェクト制御部は、前記複数のリジェクト要因毎に、該リジェクト要因により前記リジェクト部に前記リジェクト貨幣が搬送される頻度が該リジェクト要因に対応する出力条件を満たしている場合に、該リジェクト貨幣に関するリジェクト情報を出力するように構成されていてもよい。
【００１７】
前記の構成では、リジェクト要因毎にリジェクト情報を適切に出力することができる。
【００１８】
前記リジェクト制御部は、前記貨幣処理において前記貨幣の搬送が行われている期間中に前記リジェクト情報を出力するように構成されていてもよい。
【００１９】
前記の構成では、貨幣処理において貨幣の搬送が行われている期間中に、リジェクト要因を有する貨幣があることを確認させることができる。
【００２０】
前記リジェクト制御部は、前記貨幣処理において前記貨幣の搬送が完了した後に前記リジェクト情報を出力するように構成されていてもよい。
【００２１】
前記の構成では、貨幣処理において貨幣の搬送が完了した後に、リジェクト要因を有する貨幣があることを確認させることができる。
【００２２】
前記搬送制御部は、前記同一のリジェクト要因により前記リジェクト部に前記リジェクト貨幣が搬送される頻度が予め定められた停止条件を満たしている場合に、前記貨幣の搬送が停止するように前記貨幣処理装置の動作を制御するものであってもよい。前記停止条件において要求される前記同一のリジェクト要因により前記リジェクト部に前記リジェクト貨幣が搬送される頻度は、前記出力条件において要求される該同一のリジェクト要因により該リジェクト部に該リジェクト貨幣が搬送される頻度よりも高くなっていてもよい。
【００２３】
前記の構成では、同一のリジェクト要因によりリジェクト部にリジェクト貨幣が搬送される頻度が比較的に高い場合に貨幣の搬送を停止することができる。これにより、同一のリジェクト要因によりリジェクト部に多数枚のリジェクト貨幣が搬送されることを防止することができる。
【００２４】
前記貨幣処理装置は、前記貨幣が投入される投入部と、前記貨幣を収納する収納部とを備えていてもよい。前記貨幣処理は、前記投入部に投入された貨幣が前記識別部において識別されて該識別部における識別結果に応じて前記リジェクト部または前記収納部に搬送される処理であってもよい。
【００２５】
前記の構成では、投入部に投入された貨幣が識別部を経由して収納部に搬送される処理（例えば計数処理や入金処理など）においてリジェクト要因を有する貨幣があることを確認させることができる。また、情報過多による煩わしさを軽減することができる。
【００２６】
前記貨幣処理装置は、前記貨幣の収納と繰出を行う収納部と、前記貨幣が払い出される払出部とを備えていてもよい。前記貨幣処理は、前記収納部から繰り出された貨幣が前記識別部において識別されて該識別部における識別結果に応じて前記リジェクト部または前記払出部に搬送される処理であってもよい。
【００２７】
前記の構成では、収納部から繰り出された貨幣が識別部を経由して払出部に搬送される処理（例えば出金処理など）においてリジェクト要因を有する貨幣があることを確認させることができる。また、情報過多による煩わしさを軽減することができる。
【発明の効果】
【００２８】
ここに開示する技術によれば、情報過多による煩わしさを軽減することができる。
【図面の簡単な説明】
【００２９】
【図１】実施形態１による貨幣処理装置の外観を例示する斜視図である。
【図２】実施形態１による貨幣処理装置の内部構成を例示する概略図である。
【図３】第１反転部および第２反転部の内部構成を例示する概略図である。
【図４】紙幣の天地方向および左右方向を説明するための図である。
【図５】第２反転部における紙幣の反転を説明するための図である。
【図６】実施形態１のリジェクト要因とリジェクト情報とを例示する図である。
【図７】出力条件を例示する図である。
【図８】第１リジェクト処理を例示するフローチャートである。
【図９】実施形態１におけるリジェクト情報の表示例１を示す図である。
【図１０】実施形態１におけるリジェクト情報の表示例２を示す図である。
【図１１】第２リジェクト処理の一部を例示するフローチャートである。
【図１２】第２リジェクト処理の残部を例示するフローチャートである。
【図１３】停止条件を例示する図である。
【図１４】第３リジェクト処理を例示するフローチャートである。
【図１５】実施形態２による貨幣処理装置の外観を例示する斜視図である。
【図１６】実施形態２による貨幣処理装置の内部構成を例示する概略図である。
【図１７】実施形態２のリジェクト要因とリジェクト情報とを例示する図である。
【図１８】実施形態２におけるリジェクト情報の表示例を示す図である。
【発明を実施するための形態】
【００３０】
以下、実施の形態を図面を参照して詳しく説明する。なお、図中同一または相当部分には同一の符号を付しその説明は繰り返さない。
【００３１】
（実施形態１）
図１と図２は、実施形態１による貨幣処理装置１０の外観と内部構成をそれぞれ例示している。この貨幣処理装置１０は、紙幣（貨幣の一例）を処理する紙幣処理装置を構成している。具体的には、この貨幣処理装置１０は、紙幣の識別および計数と帯封紙幣の生成を行うように構成されている。なお、帯封紙幣は、帯封紙で帯封された所定枚数（例えば１００枚）の紙幣のことである。
【００３２】
この例では、貨幣処理装置１０は、筐体１００と、投入部１０１と、リジェクト部１０２と、１つまたは複数（この例では２つ）の外部集積部１０３と、上部投出部１０４と、下部投出部１０５と、複数（この例では５つ）の内部集積部１０６と、第１搬送部１０７と、識別部１０８と、第１反転部１０９と、第２反転部１１０と、帯封部１１１と、印字部１１２と、第２搬送部１１３と、第３搬送部１１４と、操作表示部１１５と、記憶部１１６と、制御部１１７とを備えている。この例では、第１搬送部１０７と第２搬送部１１３と第３搬送部１１４とにより搬送部１１８が構成されている。また、図３は、第１反転部１０９および第２反転部１１０の内部構成を例示している。
【００３３】
〔筐体〕
筐体１００は、直方体型の箱状に形成されている。そして、筐体１００には、貨幣処理装置１０の構成部材（この例では内部集積部１０６や識別部１０８や第１反転部１０９や第２反転部１１０や帯封部１１１や印字部１１２など）が収納されている。
【００３４】
〔投入部〕
投入部１０１は、紙幣が投入されるように構成されている。この例では、投入部１０１は、筐体１００の前面部の上部に向けられ、筐体１００の前方に開口する投入口を有している。操作者は、投入部１０１の投入口を介して投入部１０１に紙幣を投入することができる。また、投入部１０１は、複数枚の紙幣を集積した状態で保持するように構成されている。投入部１０１には、投入部１０１に保持されている紙幣を１枚ずつ第１搬送部１０７に繰り出す繰出ローラ１０１ａが設けられている。
【００３５】
〔リジェクト部〕
リジェクト部１０２には、リジェクト要因を有する貨幣（この例では紙幣）であるリジェクト貨幣が搬送される。この例では、リジェクト部１０２は、リジェクト貨幣を集積するように構成されている。具体的には、リジェクト部１０２は、筐体１００の前面部において投入部１０１の下方に設けられ、複数枚のリジェクト貨幣を保持することができるように構成されている。なお、リジェクト要因については、後で詳しく説明する。
【００３６】
〔外部集積部〕
外部集積部１０３は、紙幣を集積するように構成されている。そして、外部集積部１０３は、紙幣を取り出すための取出口を有し、その取出口が筐体１００の外へ向けて開口している。この例では、外部集積部１０３は、筐体１００の上部に設けられている。具体的には、２つの外部集積部１０３は、筐体１００の上面部において前後方向に並んで設けられている。操作者は、外部集積部１０３の取出口を介して外部集積部１０３に集積されている紙幣を取り出すことができる。
【００３７】
〔上部投出部〕
上部投出部１０４は、筐体１００の上部に設けられている。そして、上部投出部１０４は、紙幣（バラ紙幣）を投出するように構成されている。この例では、上部投出部１０４は、複数枚の紙幣を集積するように構成され、操作者が上部投出部１０４に集積された紙幣を取り出すことができるように構成されている。具体的には、上部投出部１０４は、トレイ１０４ａを有している。トレイ１０４ａは、上方に開口する直方体型の箱状に形成され、紙幣を集積するように構成されている。そして、トレイ１０４ａは、後側に設けられた受け取り位置（図２の実線で示された位置）と前側に設けられた取り出し位置（図２の一点鎖線で示された位置）との間を前後方向に移動するように構成されている。トレイ１０４ａを受け取り位置に配置することにより、トレイ１０４ａと第２搬送部１１３との間において紙幣の受け渡しを行うことができる。一方、トレイ１０４ａを取り出し位置に配置することにより、操作者は、トレイ１０４ａに集積されている紙幣を取り出すことができる。なお、上部投出部１０４には、前後方向に移動するトレイ１０４ａの代わりに、第２搬送部１１３から受け取った紙幣を挟持して上部投出部１０４に搬送する搬送機構（例えばベルト機構）が設けられていてもよい。
【００３８】
〔下部投出部〕
下部投出部１０５は、筐体１００の下部に設けられている。そして、下部投出部１０５は、紙幣を投出するように構成されている。この例では、下部投出部１０５は、筐体１００の前方に開口する投出口を有し、投出口を介して紙幣を投出する。なお、下部投出部１０５から投出された紙幣は、下部投出部１０５の投出口の斜め前下に予め設置された回収容器（図示を省略）などに収納される。
【００３９】
〔内部集積部〕
内部集積部１０６は、筐体１００の内部に設けられている。そして、内部集積部１０６は、紙幣を集積するように構成されている。この例では、複数の内部集積部１０６は、上下方向に並んで設けられている。また、この例では、複数の内部集積部１０６は、紙幣を金種別に集積するように構成されている。すなわち、複数の内部集積部１０６は、それぞれに予め割り当てられた金種の紙幣を集積するように構成されている。
【００４０】
〔第１搬送部〕
第１搬送部１０７は、投入部１０１とリジェクト部１０２と外部集積部１０３と内部集積部１０６との間において紙幣を搬送するように構成されている。この例では、第１搬送部１０７は、投入部１０１に投入された紙幣をリジェクト部１０２と外部集積部１０３と内部集積部１０６のいずれかに搬送するように構成されている。例えば、第１搬送部１０７は、紙幣の搬送路と、搬送路において紙幣を搬送するための搬送機構（例えばローラやベルトなど）と、搬送機構を駆動させるための駆動機構（例えばモータやギアなど）と、紙幣の搬送方向を切り換えるための分岐機構（例えば分岐爪など）によって構成されている。この例では、第１搬送部１０７は、紙幣の短手方向が搬送方向に沿うように紙幣を搬送する。すなわち、第１搬送部１０７は、短手搬送を行うように構成されている。
【００４１】
〔識別部〕
識別部１０８は、貨幣（この例では紙幣）を識別するように構成されている。この例では、識別部１０８は、第１搬送部１０７の搬送路において投入部１０１の下流側（紙幣の搬送方向における下流側）に設けられ、第１搬送部１０７によって搬送される紙幣に対して識別処理と計数処理とを行うように構成されている。識別処理では、識別部１０８は、紙幣の金種，真偽，正損，新旧，方向（表裏と向き），搬送状態などを識別する。計数処理では、識別部１０８は、紙幣の枚数を種別毎に計数する。
【００４２】
すなわち、識別部１０８は、貨幣（この例では紙幣）におけるリジェクト要因の有無を識別する。識別部１０８における貨幣の識別結果には、貨幣におけるリジェクト要因の有無に関する情報が含まれている。なお、この例では、「重送・連鎖」という要因と、「斜行」という要因と、「端折れ」という要因と、「皺」という要因と、「欠損」という要因と、「取扱外」という要因がリジェクト要因に設定されている。「重送」は、複数枚の紙幣が重なって搬送されている状態のことである。「連鎖」は、複数枚の紙幣が所定の間隔を隔てずに搬送されている状態のことである。「斜行」は、紙幣が斜めに搬送されている状態のことである。「端折れ」は、紙幣の端が折れ曲がっている状態のことである。「皺」は、紙幣に皺がある状態のことである。「欠損」は、紙幣の一部が破れていたり切り欠かれていたりしている状態のことである。「取引外」は、貨幣処理装置１０において取り扱う対象として予め指定された種別とは異なる種別の紙幣（例えば旧券や外貨や商品券など）に該当している状態のことである。
【００４３】
識別部１０８は、例えば、ラインセンサ，磁気センサ，画像センサなどの各種センサ，ＣＰＵなどの演算処理部，演算処理部を動作させるためのプログラムや情報を記憶するメモリなどの記憶部などによって構成されている。なお、識別部１０８による識別処理および計数処理の結果は、制御部１１７に送信される。
【００４４】
〔紙幣の方向〕
ここで、図４と図５を参照して、紙幣の方向について説明する。図４に示すように、紙幣ＢＮの天地方向は、紙幣ＢＮの短手方向であり、紙幣ＢＮに描かれた肖像画を基準とした上下の方向である。紙幣ＢＮの左右方向は、紙幣ＢＮの長手方向であり、紙幣ＢＮに描かれた肖像画を基準とした左右の方向（天地方向に直交する方向）である。図５に示すように、紙幣ＢＮの短手方向が搬送方向に沿うように紙幣ＢＮが搬送される場合（すなわち短手搬送の場合）、紙幣ＢＮの天地方向が搬送方向に一致し、紙幣ＢＮの左右方向が搬送方向に直交する方向（搬送幅方向）となる。
【００４５】
なお、第１搬送部１０７における紙幣ＢＮの方向は、紙幣ＢＮの表裏と向きとの組合せによって４つの方向に分類される。すなわち、紙幣ＢＮが表向きで且つ搬送方向に対して紙幣ＢＮの天地方向が従う方向（Ａ方向）と、紙幣ＢＮが表向きで且つ搬送方向に対して紙幣ＢＮの天地方向が逆らう方向（Ｂ方向）と、紙幣ＢＮが裏向きで且つ搬送方向に対して紙幣ＢＮの天地方向が逆らう方向（Ｃ方向）と、紙幣ＢＮが裏向きで且つ搬送方向に対して紙幣ＢＮの天地方向が従う方向（Ｄ方向）とに分類される。
【００４６】
〔第１反転部〕
第１反転部１０９は、第１搬送部１０７によって搬送される紙幣の搬送幅方向（搬送方向に直交する方向）の向きを変えずに、紙幣の表裏を選択的に反転させるように構成されている。この例では、第１反転部１０９は、第１搬送部１０７の搬送路において識別部１０８の下流側（紙幣の搬送方向における下流側）に配置されている。また、図３に示すように、第１反転部１０９は、スイッチバック方式の第１反転パス１０９ａと、第１反転バイパス１０９ｂと、第１分岐爪１０９ｃとを有している。第１反転パス１０９ａは、紙幣の搬送方向と直交し且つ紙幣の紙面に沿う第１軸（図５参照）周りに紙幣を回転させるように構成されている。この例（短手搬送）では、第１反転パス１０９ａにおいて紙幣が第１軸周りに回転することで紙幣の表裏および天地方向が反転する。第１反転バイパス１０９ｂは、紙幣の方向（表裏と天地方向と左右方向）を反転させることなく紙幣を通過させる経路である。第１分岐爪１０９ｃは、紙幣を第１反転パス１０９ａまたは第１反転バイパス１０９ｂに選択的に送るように構成されている。
【００４７】
また、この例では、第１反転バイパス１０９ｂからリジェクト部１０２へ分岐するリジェクト搬送路１０２ａと、第１反転バイパス１０９ｂの紙幣をリジェクト搬送路１０２ａに選択的に送るリジェクト分岐爪１０９ｄとが設けられている。リジェクト貨幣は、第１反転バイパス１０９ｂとリジェクト搬送路１０２ａとを順に通過してリジェクト部１０２に搬送される。
【００４８】
〔第２反転部〕
第２反転部１１０は、第１搬送部１０７によって搬送される紙幣の搬送幅方向（搬送方向に直交する方向）の向きを選択的に反転させるように構成されている。この例では、第２反転部１１０は、第１搬送部１０７の搬送路において第１反転部１０９の下流側（紙幣の搬送方向における下流側）に設けられている。また、図３に示すように、第２反転部１１０は、第２反転パス１１０ａと、第２反転バイパス１１０ｂと、第２分岐爪１１０ｃと、反転機構１１０ｄとを有している。第２反転パス１１０ａは、紙幣の搬送幅方向の向きを反転させるための経路である。第２反転バイパス１１０ｂは、紙幣の方向（表裏と天地方向と左右方向）を反転させることなく紙幣を通過させる経路である。第２分岐爪１１０ｃは、紙幣を第２反転パス１１０ａまたは第２反転バイパス１１０ｂに選択的に送るように構成されている。反転機構１１０ｄは、第２反転パス１１０ａに設けられ、紙幣の搬送方向に延びる第２軸（図５参照）周りに紙幣を回転させるように構成されている。この例（短手搬送）では、反転機構１１０ｄにおいて紙幣が第２軸周りに回転することで紙幣の表裏および左右方向が反転する。なお、反転機構１１０ｄの構成の詳細は省略するが、反転機構１１０ｄは、様々な公知の構成を採用することができる。
【００４９】
このように、第１反転部１０９および第２反転部１１０において紙幣の表裏および方向を必要に応じて反転させることにより、紙幣の表裏および方向を揃えることができる。
【００５０】
〔帯封部〕
帯封部１１１は、所定枚数の紙幣を帯封するように構成されている。この例では、帯封部１１１は、筐体１００の下部に設けられている。すなわち、この例では、筐体１００の上側から下側へ向けて上部投出部１０４と複数の内部集積部１０６と帯封部１１１とが順に配置されている。また、帯封部１１１は、下部投出部１０５の後方に配置されている。なお、帯封部１１１の構成の詳細な図示は省略するが、帯封部１１１は、公知の様々な構成を採用することができる。例えば、帯封部１１１は、所定枚数の紙幣の束に帯封紙を巻き付けることで紙幣の帯封を行うように構成されていてもよいし、帯封紙によって形成された輪の中に所定枚数の紙幣の束を挿入することで紙幣の帯封を行うように構成されていてもよい。
【００５１】
〔印字部〕
印字部１１２は、帯封紙に情報を印字するように構成されている。帯封紙に印字される情報には、紙幣の帯封が行われた日時に関する情報（日時情報），紙幣の帯封が行われるように貨幣処理装置１０を操作した操作者を特定するための情報（操作者情報），紙幣の帯封が行われた金融機関を特定するための情報（金融機関情報），帯封紙幣の種別を特定するための情報（紙幣種別情報），帯封紙幣を構成する紙幣の方向（表裏や向き）が揃っているか否かを特定するための情報（紙幣方向情報）などが含まれている。印字部１１２による帯封紙の印字は、帯封部１１１において所定枚数の紙幣が帯封された後に行われてもよいし、帯封部１１１において所定枚数の紙幣が帯封される前に行われてもよい。
【００５２】
〔第２搬送部〕
第２搬送部１１３は、上部投出部１０４と内部集積部１０６と帯封部１１１との間において紙幣を搬送するように構成されている。この例では、第２搬送部１１３は、筐体１００の上側から下側へ向けて順に配置された上部投出部１０４と複数の内部集積部１０６と帯封部１１１に沿うように上下方向に延びている。また、この例では、第２搬送部１１３は、アーム部１１３ａとガイド部１１３ｂとを有している。アーム部１１３ａは、複数の内部集積部１０６および帯封部１１１の各々に集積されている紙幣を把持して搬送するように構成されている。ガイド部１１３ｂは、上下方向に延び、アーム部１１３ａを上下方向に往復移動させるように構成されている。具体的には、ガイド部１１３ｂは、上部投出部１０４と複数の内部集積部１０６と帯封部１１１にそれぞれ対応する高さ位置にアーム部１１３ａを移動させるように構成されている。
【００５３】
アーム部１１３ａをいずれか１つの内部集積部１０６に対応する高さ位置に配置することにより、アーム部１１３ａとその内部集積部１０６との間において紙幣の受け渡しを行うことができる。これと同様に、アーム部１１３ａを帯封部１１１に対応する高さ位置に配置することにより、アーム部１１３ａと帯封部１１１との間において紙幣を受け渡しを行うことができる。また、アーム部１１３ａを上部投出部１０４に対応する高さ位置に配置することにより、アーム部１１３ａと上部投出部１０４（この例では図２の実線で示された受け取り位置に配置されたトレイ１０４ａ）との間において紙幣の受け渡しを行うことができる。
【００５４】
〔第３搬送部〕
第３搬送部１１４は、帯封部１１１と下部投出部１０５との間において紙幣を搬送するように構成されている。第３搬送部１１４は、例えば、紙幣の搬送路と、搬送路において紙幣を搬送するための搬送機構（例えばロータやベルトなど）と、搬送機構を駆動するための駆動機構（例えばモータやギアなど）によって構成されている。
【００５５】
〔操作表示部〕
操作表示部１１５は、操作部１１５ａと表示部１１５ｂとを有している。操作部１１５ａは、操作者による操作が与えられ、その操作者による操作に応じて情報を入力するように構成されている。これにより、操作者は、操作部１１５ａを操作して貨幣処理装置１０に各種処理を行わせることができる。すなわち、貨幣処理装置１０は、操作部１１５ａに与えられた操作者による操作に応答して動作するように構成されている。また、表示部１１５ｂは、貨幣処理装置１０における貨幣の処理状況や操作画面などの各種情報を表示するように構成されている。例えば、操作表示部１１５は、タッチパネルによって構成されている。
【００５６】
〔記憶部〕
記憶部１１６は、貨幣処理装置１０における貨幣（この例では紙幣）の処理状況に関する情報や、操作表示部１１５に表示される操作画面などの画像情報や、貨幣処理装置１０の動作を制御するために用いられる制御情報（例えば各種設定に関する情報）などの各種情報を記憶するように構成されている。例えば、記憶部１１６は、ハードディスクドライブやフラッシュメモリなどの汎用ストレージデバイスによって構成されている。
【００５７】
〔各種センサ〕
貨幣処理装置１０の各部には、貨幣（この例では紙幣）の通過を検出する通過センサなどの各種センサ（図示を省略）が設けられている。例えば、上部投出部１０４には、上部投出部１０４における紙幣の有無（具体的には、上部投出部１０４に紙幣が送り込まれたことや、その紙幣が上部投出部１０４から取り出されたこと）を検出する有無検知センサ（図示を省略）が設けられている。一方、下部投出部１０５には、下部投出部１０５の前方に設置された回収容器（図示を省略）において紙幣が満杯になったことを検出するフル検知センサ（図示を省略）が設けられている。具体的には、下部投出部１０５の前方に設置された回収容器が満杯になると貨幣処理装置１０内の搬送経路（第３搬送部１１４や下部投出部１０５内に設けられたスロープ部分）に紙幣が滞留する。フル検知センサは、貨幣処理装置１０内の搬送経路において紙幣が滞留していることを検出するように構成されている。このような構成により、フル検知センサによる検出結果に基づいて回収容器において紙幣が満杯になったことを検出することができる。なお、これらの各種センサの検出信号は、制御部１１７に送信される。
【００５８】
〔制御部〕
制御部１１７は、貨幣処理装置１０の各部（具体的には、投入部１０１とリジェクト部１０２と外部集積部１０３と上部投出部１０４と下部投出部１０５と内部集積部１０６と第１搬送部１０７と識別部１０８と第１反転部１０９と第２反転部１１０と帯封部１１１と印字部１１２と第２搬送部１１３と第３搬送部１１４と操作表示部１１５と記憶部１１６）と信号を伝送可能に接続されている。また、制御部１１７は、管理コンピュータやタブレット端末やスマートフォンなどの外部端末（図示を省略）と通信可能に構成されている。
【００５９】
そして、制御部１１７は、貨幣処理装置１０において各種処理が行われるように、操作表示部１１５に与えられた操作や貨幣処理装置１０の各部（各部に設けられた各種センサを含む）や外部端末（図示を省略）から受信した信号や情報に基づいて、貨幣処理装置１０の各部を制御して貨幣処理装置１０の動作を制御するように構成されている。例えば、制御部１１７は、ＣＰＵなどの演算処理部，演算処理部を動作させるためのプログラムや情報を記憶するメモリなどの記憶部などによって構成されている。
【００６０】
また、制御部１１７は、搬送制御部２１とリジェクト制御部２２とを有している。すなわち、搬送制御部２１とリジェクト制御部２２は、制御部１１７の機能の一部を構成している。
【００６１】
〔搬送制御部〕
搬送制御部２１は、貨幣処理装置１０において貨幣処理（貨幣が搬送される処理）が行われるように貨幣処理装置１０の動作を制御する。そして、搬送制御部２１は、貨幣が搬送される貨幣処理において、識別部１０８において識別された貨幣（この例では紙幣）がリジェクト貨幣に該当する場合に、その貨幣がリジェクト部１０２に搬送されるように貨幣処理装置１０の動作を制御する。具体的には、搬送制御部２１は、識別部１０８における貨幣の識別結果に基づいて、識別部１０８において識別された貨幣がリジェクト貨幣に該当するか否かを判定する。そして、搬送制御部２１は、識別部１０８において識別された貨幣がリジェクト貨幣に該当する場合には、その貨幣がリジェクト部１０２に搬送されるように貨幣処理装置１０の動作を制御し、識別部１０８において識別された貨幣がリジェクト貨幣に該当しない場合（すなわちリジェクト要因を有していない正常貨幣に該当する場合）には、その貨幣が識別部１０８における識別結果に応じた搬送先に搬送されるように貨幣処理装置１０の動作を制御する。
【００６２】
この例では、搬送制御部２１は、貨幣処理装置１０において計数処理（貨幣処理の一例）が行われるように貨幣処理装置１０の動作を制御する。計数処理では、投入部１０１に投入された紙幣が識別部１０８において識別されて識別部１０８における識別結果に応じてリジェクト部１０２と外部集積部１０３と内部集積部１０６のいずれか１つに搬送される。また、計数処理では、内部集積部１０６に集積された所定枚数の紙幣が帯封部１１１に搬送され、帯封部１１１において帯封された所定枚数の紙幣が下部投出部１０５に搬送される。そして、計数処理では、内部集積部１０６に集積された所定枚数未満の紙幣が上部投出部１０４に搬送される。すなわち、計数処理は、投入部に投入された貨幣が識別部において識別されて識別部における識別結果に応じてリジェクト部または収納部に搬送される処理の一例である。そして、計数処理では、外部集積部１０３と内部集積部１０６が収納部（貨幣を収納する収納部）に該当する。
【００６３】
具体的には、計数処理では、投入部１０１に投入された紙幣は、第１搬送部１０７によって識別部１０８に搬送されて識別部１０８において識別される。識別部１０８において識別された紙幣がリジェクト貨幣に該当する場合、識別部１０８において識別された紙幣は、第１搬送部１０７によってリジェクト部１０２に搬送されてリジェクト部１０２に集積される。一方、識別部１０８において識別された紙幣がリジェクト貨幣に該当しない場合、識別部１０８において識別された紙幣は、第１反転部１０９と第２反転部１１０において表裏および方向が必要に応じて反転され、その後、識別部１０８における識別結果に応じて外部集積部１０３または内部集積部１０６に搬送される。外部集積部１０３に搬送された紙幣は、外部集積部１０３に集積される。一方、内部集積部１０６に搬送された紙幣は、内部集積部１０６に集積される。内部集積部１０６に所定枚数の紙幣が集積されると、その内部集積部１０６に集積されている所定枚数の紙幣は、第２搬送部１１３によって帯封部１１１に搬送されて帯封部１１１において帯封される。これにより、帯封紙幣が生成される。帯封部１１１において生成された帯封紙幣は、第３搬送部１１４によって下部投出部１０５に搬送されて下部投出部１０５から投出される。また、内部集積部１０６に残存している所定枚数未満の紙幣は、第２搬送部１１３によって上部投出部１０４に搬送されて上部投出部１０４から投出される。
【００６４】
〔リジェクト制御部〕
リジェクト制御部２２は、同一のリジェクト要因によりリジェクト部１０２にリジェクト貨幣が搬送される頻度が予め定められた出力条件を満たしている場合に、リジェクト貨幣に関するリジェクト情報を出力する。例えば、リジェクト制御部２２は、リジェクト情報を操作表示部１１５に出力してリジェクト情報を操作表示部１１５に表示させるように構成されている。
【００６５】
〔リジェクト要因とリジェクト情報〕
リジェクト情報は、リジェクト貨幣のリジェクト要因に関する情報およびリジェクト要因の対処方法に関する情報のうち少なくとも一方（この例では両方）を含んでいる。
【００６６】
図６に示すように、この例では、「重送・連鎖」という要因と「斜行」という要因と「端折れ」という要因と「皺」という要因と「欠損」という要因と「取扱外」という要因がリジェクト要因に設定されている。そして、６つのリジェクト要因に６つのリジェクト情報がそれぞれ対応付けられている。なお、６つのリジェクト要因と６つのリジェクト情報は、記憶部１１６に記憶されている。
【００６７】
そして、図６に示すように、６つのリジェクト情報の各々は、そのリジェクト情報に対応するリジェクト要因に関する情報と、そのリジェクト要因の対処方法に関する情報とを含んでいる。例えば、第１番目のリジェクト要因である「重送・連鎖」に対応する第１番目のリジェクト情報は、「リジェクトされた紙幣は重ねて取り込まれました」という「重送・連鎖」に関する説明文を示す情報と、「紙幣を捌いて再投入してください」という「重送・連鎖」の対処方法に関する説明文を示す情報とを含んでいる。
【００６８】
〔出力条件〕
出力条件は、リジェクト頻度相関値が予め定められた出力閾値を上回るという条件である。リジェクト頻度相関値は、同一のリジェクト要因によりリジェクト部１０２にリジェクト貨幣が搬送される頻度と相関のある値であり、同一のリジェクト要因によりリジェクト部１０２にリジェクト貨幣が搬送される頻度が高くなるに連れて、リジェクト頻度相関値が大きくなっていく。例えば、リジェクト頻度相関値は、同一のリジェクト要因によりリジェクト部１０２に連続して搬送されるリジェクト貨幣の連続枚数、同一のリジェクト要因によりリジェクト部１０２に搬送されるリジェクト貨幣の合計枚数、貨幣処理（この例では計数処理）において同一のリジェクト要因によりリジェクト部１０２に搬送されるリジェクト貨幣の総合計枚数、貨幣処理（この例では計数処理）において搬送される貨幣の総枚数に対して貨幣処理において同一のリジェクト要因によりリジェクト部１０２に搬送されるリジェクト貨幣の総合計枚数が占める割合のいずれか１つに該当する。
【００６９】
この例では、出力条件は、複数のリジェクト要因毎に定められている。そして、リジェクト制御部２２は、複数のリジェクト要因毎に、そのリジェクト要因によりリジェクト部１０２にリジェクト貨幣が搬送される頻度がそのリジェクト要因に対応する出力条件を満たしている場合に、そのリジェクト貨幣に関するリジェクト情報を出力する。
【００７０】
図７に示すように、この例では、第１〜第４出力条件が出力条件として予め準備されている。また、補助出力条件が補助的な出力条件として予め準備されている。すなわち、この例では、図６に示した６つのリジェクト要因（「重送・連鎖」と「斜行」と「端折れ」と「皺」と「欠損」と「取扱外」）の各々に、第１〜第４出力条件と補助出力条件のいずれか１つが対応付けられている。なお、第１〜第４出力条件と補助出力条件は、記憶部１１６に記憶されている。
【００７１】
〈第１出力条件〉
第１出力条件は、同一のリジェクト要因によりリジェクト部１０２に連続して搬送されるリジェクト貨幣の連続枚数が出力閾値を上回るという条件である。この第１出力条件では、同一のリジェクト要因によりリジェクト部１０２に連続して搬送されるリジェクト貨幣の連続枚数が「リジェクト頻度相関値」に該当する。また、この例では、第１出力条件における出力閾値が「５枚」に設定されている。
【００７２】
〈第２出力条件〉
第２出力条件は、貨幣処理（この例では計数処理）において連続して搬送される所定枚数の貨幣（この例では１０枚の紙幣）のうち同一のリジェクト要因によりリジェクト部１０２に搬送されるリジェクト貨幣の合計枚数が出力閾値を上回るという条件である。この第２出力条件では、同一のリジェクト要因によりリジェクト部１０２に搬送されるリジェクト貨幣の合計枚数が「リジェクト頻度相関値」に該当する。また、この例では、第２出力条件における出力閾値が「５枚」に設定されている。
【００７３】
〈第３出力条件〉
第３出力条件は、貨幣処理（この例では計数処理）において同一のリジェクト要因によりリジェクト部１０２に搬送されるリジェクト貨幣の総合計枚数が出力閾値を上回るという条件である。この第３出力条件では、貨幣処理（この例では計数処理）において同一のリジェクト要因によりリジェクト部１０２に搬送されるリジェクト貨幣の総合計枚数が「リジェクト頻度相関値」に該当する。また、この例では、第３出力条件における出力閾値が「３０枚」に設定されている。
【００７４】
〈第４出力条件〉
第４出力条件は、貨幣処理（この例では計数処理）において搬送される貨幣の総枚数に対して貨幣処理において同一のリジェクト要因によりリジェクト部１０２に搬送されるリジェクト貨幣の総合計枚数が占める割合が出力閾値を上回るという条件である。この第４出力条件では、貨幣処理（この例では計数処理）において搬送される貨幣の総枚数に対して貨幣処理において同一のリジェクト要因によりリジェクト部１０２に搬送されるリジェクト貨幣の総合計枚数が占める割合が「リジェクト頻度相関値」に該当する。また、この例では、第４出力条件における出力閾値は「５０％」に設定されている。
【００７５】
〈補助出力条件〉
補助出力条件は、リジェクト要因によりリジェクト貨幣が発生したという条件である。すなわち、リジェクト要因によりリジェクト部１０２に１枚のリジェクト貨幣が搬送されると補助出力条件が満たされることになる。
【００７６】
〔第１リジェクト処理〕
なお、リジェクト制御部２２は、貨幣処理（この例では計数処理）において貨幣の搬送が行われている期間中にリジェクト情報を出力するように構成されていてもよい。具体的には、搬送制御部２１とリジェクト制御部２２は、第１リジェクト処理を行うように構成されていてもよい。
【００７７】
次に、図８を参照して、搬送制御部２１とリジェクト制御部２２による第１リジェクト処理について説明する。第１リジェクト処理では、計数処理において貨幣の搬送が行われている期間中にリジェクト情報が出力される。
【００７８】
〈ステップＳ１０１〉
搬送制御部２１は、投入部１０１から繰り出された紙幣が識別部１０８に搬送されるように貨幣処理装置１０の動作を制御する。
【００７９】
〈ステップＳ１０２〉
識別部１０８は、投入部１０１から搬送されてきた紙幣に対して識別処理を行う。そして、識別部１０８における紙幣の識別結果は、制御部１１７に送信される。なお、識別部１０８における紙幣の識別結果は、記憶部１１６に記憶される。例えば、リジェクト制御部２２は、識別部１０８から送信された紙幣の識別結果を取得すると、その紙幣の識別結果を記憶部１１６に記憶する。
【００８０】
〈ステップＳ１０３〉
次に、搬送制御部２１は、ステップＳ１０２において取得された識別部１０８における紙幣の識別結果に基づいて、識別部１０８において識別された紙幣がリジェクト貨幣に該当するか否かを判定する。具体的には、搬送制御部２１は、識別部１０８において識別された紙幣にリジェクト要因があることが識別部１０８における紙幣の識別結果に示されている場合（すなわち識別部１０８における紙幣の識別結果が「端折れ」などのリジェクト要因を示している場合）に、識別部１０８において識別された紙幣がリジェクト貨幣に該当すると判定する。一方、搬送制御部２１は、識別部１０８において識別された紙幣にリジェクト要因がないことが識別部１０８における紙幣の識別結果に示されている場合（すなわち識別部１０８における紙幣の識別結果が「端折れ」などのリジェクト要因を示していない場合）に、識別部１０８において識別された紙幣がリジェクト貨幣に該当しないと判定する。識別部１０８において識別された紙幣がリジェクト貨幣に該当する場合には、ステップＳ１０４へ進み、そうでない場合には、ステップＳ１０５へ進む。
【００８１】
〈ステップＳ１０４〉
識別部１０８において識別された紙幣がリジェクト貨幣に該当する場合、搬送制御部２１は、識別部１０８において識別された紙幣がリジェクト部１０２に搬送されるように貨幣処理装置１０の動作を制御する。次に、ステップＳ１０６へ進む。
【００８２】
〈ステップＳ１０５〉
一方、識別部１０８において識別された紙幣がリジェクト貨幣に該当しない場合、搬送制御部２１は、識別部１０８において識別された紙幣が識別部１０８における識別結果に応じた搬送先（この例では外部集積部１０３または内部集積部１０６）に搬送されるように貨幣処理装置１０の動作を制御する。次に、ステップＳ１０８へ進む。
【００８３】
〈ステップＳ１０６〉
識別部１０８において識別された紙幣がリジェクト部１０２に搬送されると、リジェクト制御部２２は、ステップＳ１０２において取得された識別部１０８における紙幣の識別結果に基づいて、ステップＳ１０３において搬送制御部２１によりリジェクト貨幣に該当すると判定された紙幣のリジェクト要因を取得する。そして、リジェクト制御部２２は、記憶部１１６に記憶されている紙幣の識別結果（識別部１０８における紙幣の識別結果）に基づいて、その取得されたリジェクト要因によりリジェクト部１０２にリジェクト貨幣が搬送された頻度が出力条件（そのリジェクト要因に対応する出力条件）を満たしているか否かを判定する。出力条件が満たされている場合には、ステップＳ１０７へ進み、そうでない場合には、ステップＳ１０８へ進む。
【００８４】
〈ステップＳ１０７〉
ステップＳ１０６において取得されたリジェクト要因によりリジェクト部１０２にリジェクト貨幣が搬送された頻度が出力条件を満たしている場合、リジェクト制御部２２は、そのリジェクト要因に対応するリジェクト情報を記憶部１１６の中から検出し、その検出されたリジェクト情報を出力する。
【００８５】
〈ステップＳ１０８〉
次に、搬送制御部２１は、計数処理において紙幣の搬送が完了したか否かを判定する。この例では、搬送制御部２１は、投入部１０１に紙幣が残存しているか否かを判定する。貨幣処理において紙幣の搬送が完了している場合（投入部１０１に紙幣が残存していない場合）には、処理を終了し、そうでない場合には、ステップＳ１０１へ進む。
【００８６】
〔リジェクト情報の出力〕
次に、図９および図１０を参照して、リジェクト情報の出力について説明する。この例では、リジェクト情報は、画像として出力される。
【００８７】
例えば、「端折れ」というリジェクト要因によりリジェクト部１０２にリジェクト貨幣が搬送される頻度が「端折れ」というリジェクト要因に対応する出力条件を満たしている場合、リジェクト制御部２２は、「端折れ」というリジェクト要因に対応するリジェクト情報を操作表示部１１５に出力する。操作表示部１１５は、リジェクト制御部２２により出力されたリジェクト情報（「端折れ」というリジェクト要因に対応するリジェクト情報）を表示する。これにより、図９に示すようなリジェクト情報が操作表示部１１５に表示される。なお、操作表示部１１５には、リジェクト情報とともに、リジェクト情報の表示を終了させるためのアイコン（図９では「ＯＫ」と記載されたアイコン）が表示される。
【００８８】
また、複数のリジェクト要因が出力条件をそれぞれ満たしている場合、リジェクト制御部２２は、複数のリジェクト要因（出力条件を満たしているリジェクト要因）にそれぞれ対応する複数のリジェクト情報を出力する。例えば、「端折れ」というリジェクト要因によりリジェクト部１０２にリジェクト貨幣が搬送される頻度が「端折れ」というリジェクト要因に対応する出力条件を満たし、且つ、「斜行」というリジェクト要因によりリジェクト部１０２にリジェクト貨幣が搬送される頻度が「斜行」というリジェクト要因に対応する出力条件を満たしている場合、リジェクト制御部２２は、「端折れ」というリジェクト要因に対応するリジェクト情報と、「斜行」というリジェクト要因に対応するリジェクト情報とを操作表示部１１５に出力する。
【００８９】
なお、複数のリジェクト要因にそれぞれ対応する複数のリジェクト情報は、そのリジェクト要因を有するリジェクト貨幣の枚数が多い順に、操作表示部１１５に表示されてもよい。例えば、リジェクト貨幣の枚数が最も多いリジェクト要因に対応するリジェクト情報が操作表示部１１５に表示された後に、リジェクト貨幣の枚数が２番目に多いリジェクト要因に対応するリジェクト情報が操作表示部１１５に表示されてもよい。
【００９０】
また、複数のリジェクト要因にそれぞれ対応する複数のリジェクト情報は、そのリジェクト要因に対応する出力条件が満たされた順に、操作表示部１１５に表示されてもよい。例えば、第１番目に出力条件が満たされたリジェクト要因に対応するリジェクト情報が操作表示部１１５に表示された後に、第２番目に出力条件が満たされたリジェクト要因に対応するリジェクト情報が操作表示部１１５に表示されてもよい。
【００９１】
また、図１０に示すように、複数のリジェクト要因にそれぞれ対応する複数のリジェクト情報は、操作表示部１１５に同時に表示されてもよい。図１０の例では、「端折れ」というリジェクト要因に対応するリジェクト情報と、「斜行」というリジェクト要因に対応するリジェクト情報とが操作表示部１１５に同時に表示されている。なお、複数のリジェクト要因にそれぞれ対応する複数のリジェクト情報は、操作表示部１１５の予め定められた方向（例えば上から下へ向かう方向）において、そのリジェクト要因を有するリジェクト貨幣の枚数が多い順に配列されていてもよいし、そのリジェクト要因に対応する出力条件が満たされた順に配列されていてもよい。
【００９２】
〔第２リジェクト処理〕
また、リジェクト制御部２２は、貨幣処理（この例では計数処理）において貨幣の搬送が完了した後にリジェクト情報を出力するように構成されていてもよい。具体的には、搬送制御部２１とリジェクト制御部２２は、第２リジェクト処理を行うように構成されていてもよい。
【００９３】
次に、図１１と図１２を参照して、搬送制御部２１とリジェクト制御部２２による第２リジェクト処理について説明する。第２リジェクト処理では、計数処理において貨幣の搬送が完了した後にリジェクト情報が出力される。
【００９４】
〈ステップＳ２０１〜Ｓ２０５〉
ステップＳ２０１〜Ｓ２０５では、図８に示したステップＳ１０１〜Ｓ１０５と同様の処理が行われる。すなわち、投入部１０１から繰り出された紙幣が識別部１０８に搬送されて識別部１０８において識別され、識別部１０８における紙幣の識別結果が制御部１１７に送信されて記憶部１１６に記憶される。そして、識別部１０８において識別された紙幣は、リジェクト貨幣に該当する場合にリジェクト部１０２に搬送され、リジェクト貨幣に該当しない場合に識別部１０８における識別結果に応じた搬送先（この例では外部集積部１０３または内部集積部１０６）に搬送される。
【００９５】
〈ステップＳ２０６〉
ステップＳ２０４またはステップＳ２０５が完了すると、搬送制御部２１は、計数処理において紙幣の搬送が完了したか否かを判定する。この例では、搬送制御部２１は、投入部１０１に紙幣が残存しているか否かを判定する。貨幣処理において紙幣の搬送が完了している場合（投入部１０１に紙幣が残存していない場合）には、ステップＳ２０７（図１２）へ進み、そうでない場合には、ステップＳ２０１へ進む。
【００９６】
〈ステップＳ２０７〉
計数処理において紙幣の搬送が完了すると、リジェクト制御部２２は、記憶部１１６に記憶されている複数のリジェクト要因の中から処理の対象として未だ選出されていないリジェクト要因を選出する。
【００９７】
〈ステップＳ２０８〉
次に、リジェクト制御部２２は、記憶部１１６に記憶されている紙幣の識別結果（識別部１０８における紙幣の識別結果）に基づいて、ステップＳ２０７において選出されたリジェクト要因によりリジェクト部１０２にリジェクト貨幣が搬送された頻度が出力条件（そのリジェクト要因に対応する出力条件）を満たしているか否かを判定する。出力条件が満たされている場合には、ステップＳ２０９へ進み、そうでない場合には、ステップＳ２１０へ進む。
【００９８】
〈ステップＳ２０９〉
ステップＳ２０７において選出されたリジェクト要因によりリジェクト部１０２にリジェクト貨幣が搬送された頻度が出力条件を満たしている場合、リジェクト制御部２２は、そのリジェクト要因に対応するリジェクト情報を記憶部１１６の中から検出し、その検出されたリジェクト情報を出力する。
【００９９】
〈ステップＳ２１０〉
次に、リジェクト制御部２２は、記憶部１１６に記憶されている複数のリジェクト要因の中に処理の対象として未だ選出されていないリジェクト要因が残っているか否かを判定する。記憶部１１６に記憶されている複数のリジェクト要因の中に処理の対象として未だ選出されていないリジェクト要因が残っている場合には、ステップＳ２０７へ進み、そうでない場合には、処理を終了する。
【０１００】
〔実施形態１による効果〕
以上のように、リジェクト貨幣に関するリジェクト情報を出力することにより、リジェクト要因を有する貨幣（この例では紙幣）があることを確認させることができる。また、同一のリジェクト要因によりリジェクト部１０２にリジェクト貨幣が搬送される頻度が出力条件を満たしている場合（具体的にはリジェクト頻度相関値が出力閾値を上回る場合）にリジェクト情報を出力することにより、同一のリジェクト要因によりリジェクト部１０２にリジェクト貨幣が搬送される毎にリジェクト情報が出力されることを防止することができる。これにより、情報過多による煩わしさを軽減することができる。
【０１０１】
また、リジェクト情報にリジェクト要因に関する情報およびリジェクト要因の対処方法に関する情報のうち少なくとも一方（この例では両方）が含まれていることにより、リジェクト要因およびリジェクト要因の対処方法のうち少なくとも一方（この例では両方）を確認させることができる。これにより、リジェクト要因の解消を促すことができる。
【０１０２】
また、貨幣処理（この例では計数処理）において貨幣の搬送が行われている期間中にリジェクト情報を出力することにより、貨幣処理において貨幣の搬送が行われている期間中にリジェクト要因を有する貨幣があることを確認させることができる。
【０１０３】
また、貨幣処理（この例では計数処理）において貨幣の搬送が完了した後にリジェクト情報を出力することにより、貨幣処理において貨幣の搬送が完了した後にリジェクト要因を有する貨幣があることを確認させることができる。
【０１０４】
なお、この例では、出力条件は、複数のリジェクト要因毎に定められている。そして、リジェクト制御部２２は、複数のリジェクト要因毎に、そのリジェクト要因によりリジェクト部１０２にリジェクト貨幣が搬送される頻度がそのリジェクト要因に対応する出力条件を満たしている場合に、そのリジェクト貨幣に関するリジェクト情報を出力するように構成されている。このような構成により、リジェクト要因毎にリジェクト情報を適切に出力することができる。
【０１０５】
〔出力条件の設定〕
なお、出力条件は、変更可能となっていてもよい。このように、出力条件を変更可能とすることにより、出力条件を適切に設定することができる。
【０１０６】
例えば、リジェクト制御部２２は、操作表示部１１５の操作部１１５ａに与えられた操作（出力条件を変更するための操作）に応答して、記憶部１１６に記憶されている出力条件を変更するように構成されていてもよい。
【０１０７】
また、リジェクト制御部２２は、管理コンピュータなどの外部端末（図示を省略）から送信された出力条件の更新情報（リジェクト要因と出力条件とが対応付けられた情報）を受信し、その更新情報に基づいて記憶部１１６に記憶されている出力条件を変更するように構成されていてもよい。
【０１０８】
（実施形態１の変形例）
搬送制御部２１は、同一のリジェクト要因によりリジェクト部１０２にリジェクト貨幣が搬送される頻度が予め定められた停止条件を満たしている場合に、貨幣の搬送が停止するように貨幣処理装置１０の動作を制御するものであってもよい。なお、停止条件において要求される頻度（同一のリジェクト要因によりリジェクト部１０２にリジェクト貨幣が搬送される頻度）は、出力条件において要求される頻度（同一のリジェクト要因によりリジェクト部１０２にリジェクト貨幣が搬送される頻度）よりも高くなっている。
【０１０９】
〔停止条件〕
停止条件は、リジェクト頻度相関値が予め定められた停止閾値を上回るという条件である。停止条件は、出力条件とともにリジェクト要因に対応付けられる。そして、停止条件の停止閾値は、その停止条件と同一のリジェクト要因に対応する出力条件の出力閾値よりも大きくなっている。
【０１１０】
また、この例では、停止条件は、出力条件とともに複数のリジェクト要因毎に定められている。そして、この例では、搬送制御部２１は、複数のリジェクト要因毎に、そのリジェクト要因によりリジェクト部１０２にリジェクト貨幣が搬送される頻度がそのリジェクト要因に対応する停止条件を満たしている場合に、貨幣の搬送が停止するように貨幣処理装置１０の動作を制御する。
【０１１１】
図１３に示すように、この例では、第１および第２停止条件が停止条件として予め準備されている。第１停止条件は、図７に示した第１出力条件とともにリジェクト要因に対応付けられ、第２停止条件は、図７に示した第２出力条件とともにリジェクト要因に対応付けられる。なお、第１および第２停止条件は、記憶部１１６に記憶されている。
【０１１２】
〈第１停止条件〉
第１停止条件は、同一のリジェクト要因によりリジェクト部１０２に連続して搬送されるリジェクト貨幣の連続枚数が停止閾値を上回るという条件である。この第１停止条件では、同一のリジェクト要因によりリジェクト部１０２に連続して搬送されるリジェクト貨幣の連続枚数が「リジェクト頻度相関値」に該当する。また、この例では、第１停止条件における停止閾値が「１０枚」に設定されている。このように、第１停止条件の停止閾値は、第１出力条件の出力閾値よりも大きくなっている。
【０１１３】
〈第２停止条件〉
第２停止条件は、貨幣処理（この例では計数処理）において連続して搬送される所定枚数の貨幣（この例では１０枚の紙幣）のうち同一のリジェクト要因によりリジェクト部１０２に搬送されるリジェクト貨幣の合計枚数が停止閾値を上回るという条件である。この第２停止条件では、同一のリジェクト要因によりリジェクト部１０２に搬送されるリジェクト貨幣の合計枚数が「リジェクト頻度相関値」に該当する。また、この例では、第２停止条件における出力閾値が「９枚」に設定されている。このように、第２停止条件の停止閾値は、第２出力条件の出力閾値よりも大きくなっている。
【０１１４】
〔第３リジェクト処理〕
なお、実施形態１の変形例では、搬送制御部２１とリジェクト制御部２２は、第３リジェクト処理を行うように構成されている。
【０１１５】
次に、図１４を参照して、搬送制御部２１とリジェクト制御部２２による第３リジェクト処理について説明する。第３リジェクト処理では、図８に示した第１リジェクト処理に加えてステップ１１１とステップＳ１１２の処理が行われる。
【０１１６】
〈ステップＳ１１１〉
ステップＳ１０６において取得されたリジェクト要因によりリジェクト部１０２にリジェクト貨幣が搬送された頻度が出力条件を満たしている場合、搬送制御部２１は、記憶部１１６に記憶されている紙幣の識別結果（識別部１０８における紙幣の識別結果）に基づいて、ステップＳ１０６において取得されたリジェクト要因によりリジェクト部１０２にリジェクト貨幣が搬送された頻度が停止条件（そのリジェクト要因に対応する停止条件）を満たしているか否かを判定する。停止条件が満たされている場合には、ステップＳ１１２へ進み、そうでない場合には、ステップＳ１０７へ進む。
【０１１７】
〈ステップＳ１１２〉
ステップＳ１０６において取得されたリジェクト要因によりリジェクト部１０２にリジェクト貨幣が搬送された頻度が停止条件を満たしている場合、搬送制御部２１は、紙幣の搬送が停止するように貨幣処理装置１０の動作を制御する。そして、紙幣の搬送が停止すると、処理を終了する。このとき、ステップＳ１０７においてリジェクト情報が出力（例えば操作表示部１１５に表示）されているので、操作者は、そのリジェクト情報に基づいて対処を行うことができる。
【０１１８】
〔実施形態１の変形例による効果〕
以上のように、同一のリジェクト要因によりリジェクト部１０２にリジェクト貨幣が搬送される頻度が停止条件（出力条件よりも要求されている頻度が高い条件）を満たしている場合に、貨幣の搬送が停止するように貨幣処理装置１０の動作を制御することにより、同一のリジェクト要因によりリジェクト部１０２にリジェクト貨幣が搬送される頻度が比較的に高い場合に貨幣の搬送を停止することができる。これにより、同一のリジェクト要因によりリジェクト部１０２に多数枚のリジェクト貨幣が搬送されることを防止することができる。
【０１１９】
なお、リジェクト制御部２２は、同一のリジェクト要因によりリジェクト部１０２にリジェクト貨幣が搬送される頻度が停止条件（出力条件よりも要求されている頻度が高い条件）を満たしている場合に、リジェクト貨幣の多発により貨幣の搬送を停止することを通知するための停止通知情報を出力するように構成されていてもよい。また、この停止通知情報には、リジェクト貨幣のリジェクト要因に関する情報およびリジェクト要因の対処方法に関する情報のうち少なくとも一方が含まれていてもよい。
【０１２０】
（実施形態２）
図１５および図１６は、実施形態２による貨幣処理装置１０の外観および内部構成を例示している。この貨幣処理装置１０は、硬貨釣銭機２００と、紙幣釣銭機３００と、制御端末機４００とを備えている。
【０１２１】
〔硬貨釣銭機〕
硬貨釣銭機２００は、硬貨（貨幣の一例）を処理するように構成されている。この例では、硬貨釣銭機２００は、硬貨側筐体２０１と、硬貨投入部２０２と、硬貨払出部２０３と、複数（この例では６つ）の硬貨収納部２０４と、硬貨搬送部２０５と、硬貨識別部２０６と、操作表示部２０７と、硬貨側制御部２０８とを備えている。
【０１２２】
〈硬貨側筐体〉
硬貨側筐体２０１は、直方体型の箱状に形成されている。そして、硬貨側筐体２０１には、硬貨釣銭機２００の構成部材（この例では硬貨投入部２０２や硬貨払出部２０３や硬貨搬送部２０５や硬貨識別部２０６など）が収納されている。
【０１２３】
〈硬貨投入部〉
硬貨投入部２０２は、硬貨が投入されるように構成されている。この例では、硬貨側筐体２０１の前面部に設けられ、硬貨側筐体２０１の上方に開口する投入口を有している。操作者は、硬貨投入部２０２の投入口を介して硬貨投入部２０２に硬貨を投入することができる。また、硬貨投入部２０２には、硬貨投入部２０２に投入された硬貨を１枚ずつ硬貨搬送部２０５に繰り出す繰出機構（図示を省略）が設けられている。
【０１２４】
〈硬貨払出部〉
硬貨払出部２０３は、硬貨を払い出すように構成されている。この例では、硬貨払出部２０３は、硬貨側筐体２０１の前面部に設けられ、硬貨側筐体２０１の前方に開口する払出口を有している。操作者は、硬貨払出部２０３の払出口を介して硬貨払出部２０３から硬貨を取り出すことができる。
【０１２５】
〈硬貨収納部〉
硬貨収納部２０４は、硬貨を収納するように構成されている。また、硬貨収納部２０４は、硬貨を繰り出すように構成されている。この例では、複数の硬貨収納部２０４は、硬貨を金種別に収納するように構成されている。すなわち、硬貨収納部２０４は、それぞれに予め割り当てられた金種の硬貨を収納するように構成されている。
【０１２６】
〈硬貨搬送部〉
硬貨搬送部２０５は、硬貨側筐体２０１の内部において硬貨を搬送するように構成されている。この例では、硬貨搬送部２０５は、入金搬送部２０５ａと、出金搬送部２０５ｂとを有している。
【０１２７】
入金搬送部２０５ａは、硬貨投入部２０２と硬貨払出部２０３と１つまたは複数（この例では６つ）の硬貨収納部２０４との間において硬貨を搬送するように構成されている。この例では、入金搬送部２０５ａは、硬貨投入部２０２から繰り出された硬貨を硬貨払出部２０３または硬貨収納部２０４に搬送する。また、この例では、入金搬送部２０５ａには、硬貨投入部２０２から繰り出された硬貨の搬送先を硬貨払出部２０３と硬貨収納部２０４とに切り換える分岐部２０５ｃが設けられている。例えば、入金搬送部２０５ａは、硬貨の搬送路と、搬送路において硬貨を搬送するための搬送機構（例えばローラやベルトなど）と、搬送機構を駆動させるための駆動機構（例えばモータやギアなど）とによって構成されている。
【０１２８】
出金搬送部２０５ｂは、硬貨払出部２０３と複数（この例では６つ）の硬貨収納部２０４との間において硬貨を搬送するように構成されている。この例では、出金搬送部２０５ｂは、硬貨収納部２０４から繰り出された硬貨を硬貨払出部２０３に搬送する。例えば、出金搬送部２０５ｂは、硬貨の搬送路と、搬送路において硬貨を搬送するための搬送機構（例えばローラやベルトなど）と、搬送機構を駆動させるための駆動機構（例えばモータやギアなど）とによって構成されている。
【０１２９】
〈硬貨識別部〉
硬貨識別部２０６は、硬貨を識別するように構成されている。この例では、硬貨識別部２０６は、入金搬送部２０５ａの搬送路において分岐部２０５ｃの上流側（硬貨の搬送方向における上流側）に設けられ、入金搬送部２０５ａによって搬送される硬貨に対して識別処理と計数処理を行うように構成されている。識別処理では、硬貨識別部２０６は、硬貨の金種，真偽，正損，搬送状態などを識別する。計数処理では、硬貨識別部２０６は、硬貨の枚数を種別毎に計数する。
【０１３０】
すなわち、識別部１０８と同様に、硬貨識別部２０６は、貨幣（この例では硬貨）におけるリジェクト要因の有無を識別する。硬貨識別部２０６における貨幣の識別結果には、貨幣におけるリジェクト要因の有無に関する情報が含まれている。
【０１３１】
硬貨識別部２０６は、例えば、磁気センサや画像センサなどの各種センサと、ＣＰＵなどの演算処理部と、演算処理部を動作させるためのプログラムや情報を記憶するメモリなどの記憶部とによって構成されている。なお、硬貨識別部２０６による識別処理および計数処理の結果は、硬貨側制御部２０８に送信される。
【０１３２】
〈操作表示部〉
操作表示部２０７は、操作者による操作が与えられ、操作者による操作に応じて情報を入力するように構成されている。これにより、操作者は、操作表示部２０７（操作部）を操作して貨幣処理装置１０に各種処理を行わせることができる。すなわち、貨幣処理装置１０は、操作表示部２０７に与えられた操作者による操作に応答して動作するように構成されている。また、操作表示部２０７（表示部）は、貨幣処理装置１０における貨幣の処理状況や操作画面などの各種情報を表示するように構成されている。例えば、操作表示部２０７は、タッチパネルによって構成されている。
【０１３３】
〈各種センサ〉
また、硬貨釣銭機２００の各部には、硬貨の通過を検知する通過センサなどの各種センサ（図示を省略）が設けられている。これらの各種センサの検出信号は、硬貨側制御部２０８に送信される。
【０１３４】
〈硬貨側制御部〉
硬貨側制御部２０８は、硬貨釣銭機２００の各部（具体的には、硬貨投入部２０２と硬貨払出部２０３と硬貨収納部２０４と硬貨搬送部２０５と硬貨識別部２０６と操作表示部２０７）と信号を伝送可能に接続されている。また、硬貨側制御部２０８は、紙幣側制御部３０９や制御端末機４００と通信可能に構成されている。そして、硬貨側制御部２０８は、硬貨釣銭機２００において各種処理が行われるように、硬貨釣銭機２００の各部（各部に設けられた各種センサを含む）や紙幣側制御部３０９や制御端末機４００から受信した信号や情報に基づいて、硬貨釣銭機２００の各部を制御して硬貨釣銭機２００の動作を制御するように構成されている。例えば、硬貨側制御部２０８は、ＣＰＵなどの演算処理部と、演算処理部を動作させるためのプログラムや情報を記憶するメモリなどの記憶部とによって構成されている。
【０１３５】
〔紙幣釣銭機〕
紙幣釣銭機３００は、紙幣（貨幣の一例）を処理するように構成されている。この例では、紙幣釣銭機３００は、紙幣側筐体３０１と、紙幣投入部３０２と、紙幣払出部３０３と、複数（この例では３つ）の紙幣収納部３０４と、紙幣リジェクト部３０５と、回収部３０６と、紙幣搬送部３０７と、紙幣識別部３０８と、紙幣側制御部３０９とを備えている。
【０１３６】
〈紙幣側筐体〉
紙幣側筐体３０１は、直方体型の箱状に形成されている。そして、紙幣側筐体３０１には、紙幣釣銭機３００の構成部材（この例では紙幣投入部３０２や紙幣払出部３０３や紙幣収納部３０４や紙幣リジェクト部３０５や回収部３０６や紙幣搬送部３０７や紙幣識別部３０８など）が収納されている。
【０１３７】
〈紙幣投入部〉
紙幣投入部３０２は、紙幣が投入されるように構成されている。この例では、紙幣投入部３０２は、紙幣側筐体３０１の前面部に設けられ、紙幣側筐体３０１の前方に開口する投入口を有している。操作者は、紙幣投入部３０２の投入口を介して紙幣投入部３０２に紙幣を投入することができる。また、紙幣投入部３０２には、紙幣投入部３０２に投入された紙幣を１枚ずつ紙幣搬送部３０７に繰り出す繰出機構（図示を省略）が設けられている。
【０１３８】
〈紙幣払出部〉
紙幣払出部３０３は、紙幣を払い出すように構成されている。この例では、紙幣払出部３０３は、紙幣側筐体３０１の前面部に設けられ、紙幣側筐体３０１の前方に開口する払出口を有している。操作者は、紙幣払出部３０３の払出口を介して紙幣払出部３０３から紙幣を取り出すことができる。
【０１３９】
〈紙幣収納部〉
紙幣収納部３０４は、紙幣を収納するように構成されている。また、紙幣収納部３０４は、紙幣を繰り出すように構成されている。この例では、複数の紙幣収納部３０４は、紙幣を金種別に収納するように構成されている。すなわち、複数の紙幣収納部３０４は、それぞれに予め割り当てられた金種の紙幣を収納するように構成されている。
【０１４０】
〈紙幣リジェクト部〉
紙幣リジェクト部３０５は、リジェクト要因を有する紙幣（リジェクト貨幣）を収納するように構成されている。
【０１４１】
〈回収部〉
回収部３０６は、回収されるべき紙幣を収納するように構成されている。
【０１４２】
〈紙幣搬送部〉
紙幣搬送部３０７は、紙幣側筐体３０１の内部において紙幣を搬送するように構成されている。この例では、紙幣搬送部３０７は、環状に形成された周回搬送部３０７ａと、紙幣釣銭機３００構成部材（具体的には紙幣投入部３０２と紙幣払出部３０３と３つの紙幣収納部と紙幣リジェクト部３０５と回収部３０６）と周回搬送部３０７ａとをそれぞれ接続する複数（この例では７つ）の接続搬送部３０７ｂとを有している。例えば、周回搬送部３０７ａおよび複数の接続搬送部３０７ｂは、紙幣の搬送路と、搬送路において紙幣を搬送するための搬送機構（例えばロータやベルトなど）と、搬送機構を駆動させるための駆動機構（例えばモータやギアなど）とによって構成されている。
【０１４３】
〈紙幣識別部〉
紙幣識別部３０８は、紙幣を識別するように構成されている。この例では、紙幣識別部３０８は、紙幣搬送部３０７の周回搬送部３０７ａの搬送路に設けられ、周回搬送部３０７ａによって搬送される紙幣に対して識別処理と計数処理を行うように構成されている。識別処理では、紙幣識別部３０８は、紙幣の金種，真偽，正損，新旧，方向（表裏と向き），搬送状態などを識別する。計数処理では、紙幣識別部３０８は、紙幣の枚数を種別毎に計数する。
【０１４４】
すなわち、識別部１０８と同様に、紙幣識別部３０８は、貨幣（この例では紙幣）におけるリジェクト要因の有無を識別する。紙幣識別部３０８における貨幣の識別結果には、貨幣におけるリジェクト要因の有無に関する情報が含まれている。なお、この例では、後述する紙幣入金処理において「重送・連鎖」という要因と「斜行」という要因と「端折れ」という要因と「皺」という要因と「欠損」という要因と「取扱外」という要因がリジェクト要因に設定されている。また、後述する紙幣出金処理において「重送・連鎖」という要因と「斜行」という要因と「端折れ」という要因と「金種違い」という要因がリジェクト要因に設定されている。「金種違い」は、紙幣収納部３０４に割り当てられた金種（設定金種）と紙幣収納部３０４から繰り出された紙幣の金種とが一致していない状態のことである。
【０１４５】
紙幣識別部３０８は、例えば、ラインセンサ，磁気センサ，画像センサなどの各種センサ，ＣＰＵなどの演算処理部，演算処理部を動作させるためのプログラムや情報を記憶するメモリなどの記憶部などによって構成されている。なお、紙幣識別部３０８による識別処理および計数処理の結果は、紙幣側制御部３０９に送信される。
【０１４６】
〈各種センサ〉
また、紙幣釣銭機３００の各部には、紙幣の通過を検知する通過センサなどの各種センサ（図示を省略）が設けられている。これらの各種センサの検出信号は、紙幣側制御部３０９に送信される。
【０１４７】
〈紙幣側制御部〉
紙幣側制御部３０９は、紙幣釣銭機３００の各部（具体的には紙幣投入部３０２と紙幣払出部３０３と紙幣収納部３０４と紙幣リジェクト部３０５と回収部３０６と紙幣搬送部３０７と紙幣識別部３０８）と信号を伝送可能に接続されている。また、紙幣側制御部３０９は、硬貨側制御部２０８や制御端末機４００と通信可能に構成されている。そして、紙幣側制御部３０９は、紙幣釣銭機３００において各種処理が行われるように、紙幣釣銭機３００の各部（各部に設けられた各種センサを含む）や硬貨側制御部２０８や制御端末機４００から受信した信号や情報に基づいて、紙幣釣銭機３００の各部を制御して紙幣釣銭機３００の動作を制御するように構成されている。例えば、紙幣側制御部３０９は、ＣＰＵなどの演算処理部と、演算処理部を動作させるためのプログラムや情報を記憶するメモリなどの記憶部とによって構成されている。
【０１４８】
〔制御端末機〕
制御端末機４００は、硬貨釣銭機２００と紙幣釣銭機３００とを制御するように構成されている。制御端末機４００は、例えば、ＰＯＳレジスタ（販売時点管理機能を有する金銭登録機）により構成されている。この例では、制御端末機４００は、ホストサーバ３０と通信可能に接続され、制御端末機４００からホストサーバ３０に売上情報などの各種情報が送信されるようになっている。制御端末機４００は、操作部４０１と、表示部４０２と、記憶部４０３と、制御部４０４とを備えている。
【０１４９】
〈操作部〉
操作部４０１は、操作者による操作が与えられ、その操作者による操作に応じて情報を入力するように構成されている。これにより、操作者は、操作部４０１を操作して制御端末機４００に各種処理を行わせることができる。すなわち、制御端末機４００は、操作部４０１に与えられた操作者による操作に応答して動作するように構成されている。
【０１５０】
〈表示部〉
表示部４０２は、貨幣処理装置１０における貨幣の処理状況や操作画面などの各種情報を表示するように構成されている。例えば、表示部４０２は、液晶表示パネルなどによって構成されている。また、この例では、制御端末機４００には、補助表示部４０２ａが設けられている。
【０１５１】
〈記憶部〉
記憶部４０３は、貨幣処理装置１０における貨幣の処理状況に関する情報や、表示部４０２に表示される操作画面などの画像情報や、貨幣処理装置１０の動作を制御するために用いられる制御情報（例えば各種設定に関する情報）などの各種情報を記憶するように構成されている。例えば、記憶部４０３は、ハードディスクドライブやフラッシュメモリなどの汎用ストレージデバイスによって構成されている。
【０１５２】
〈制御部〉
制御部４０４は、制御端末機４００の各部（具体的には操作部４０１と表示部４０２と補助表示部４０２ａと記憶部４０３）と信号を伝送可能に接続されている。また、制御部４０４は、硬貨釣銭機２００の硬貨側制御部２０８および紙幣釣銭機３００の紙幣側制御部３０９と通信可能に構成されている。そして、制御部４０４は、貨幣処理装置１０において各種処理が行われるように、硬貨釣銭機２００および紙幣釣銭機３００の各部（各部に設けられた各種センサを含む）から受信した信号や情報に基づいて、硬貨釣銭機２００および紙幣釣銭機３００の各部を制御して硬貨釣銭機２００および紙幣釣銭機３００の動作を制御するように構成されている。例えば、制御部４０４は、ＣＰＵなどの演算処理部と、演算処理部を動作させるためのプログラムや情報を記憶するメモリなどの記憶部とによって構成されている。
【０１５３】
また、制御部４０４は、搬送制御部２１とリジェクト制御部２２とを有している。すなわち、搬送制御部２１とリジェクト制御部２２は、制御部４０４の一部の機能を構成している。
【０１５４】
〔搬送制御部〕
実施形態１と同様に、搬送制御部２１は、貨幣処理装置１０において貨幣処理（貨幣が搬送される処理）が行われるように貨幣処理装置１０の動作を制御する。そして、搬送制御部２１は、貨幣が搬送される貨幣処理において、識別部において識別された貨幣（この例では硬貨または紙幣）がリジェクト貨幣に該当する場合に、その貨幣がリジェクト部に搬送されるように貨幣処理装置１０の動作を制御する。具体的には、搬送制御部２１は、識別部における貨幣の識別結果に基づいて、識別部において識別された貨幣がリジェクト貨幣に該当するか否かを判定する。そして、搬送制御部２１は、識別部において識別された貨幣がリジェクト貨幣に該当する場合には、その貨幣がリジェクト部に搬送されるように貨幣処理装置１０の動作を制御し、識別部において識別された貨幣がリジェクト貨幣に該当しない場合（すなわち正常貨幣に該当する場合）には、その貨幣が識別部における識別結果に応じた搬送先に搬送されるように貨幣処理装置１０の動作を制御する。
【０１５５】
〈硬貨入金処理〉
この例では、搬送制御部２１は、貨幣処理装置１０において硬貨入金処理（貨幣処理の一例）が行われるように貨幣処理装置１０の動作を制御する。硬貨入金処理では、硬貨投入部２０２に投入された硬貨が硬貨識別部２０６において識別されて硬貨識別部２０６における識別結果に応じて硬貨払出部２０３または硬貨収納部２０４に搬送される。すなわち、硬貨入金処理は、投入部に投入された貨幣が識別部において識別されて識別部における識別結果に応じてリジェクト部または収納部に搬送される処理の一例である。そして、硬貨入金処理では、硬貨投入部２０２が投入部（貨幣が投入される投入部）に該当し、硬貨識別部２０６が識別部（貨幣を識別する識別部）に該当し、硬貨払出部２０３がリジェクト部（リジェクト貨幣が搬送されるリジェクト部）に該当し、硬貨収納部２０４が収納部（貨幣を収納する収納部）に該当する。
【０１５６】
具体的には、硬貨入金処理では、硬貨投入部２０２に投入された硬貨は、入金搬送部２０５ａによって硬貨識別部２０６に搬送されて硬貨識別部２０６において識別される。硬貨識別部２０６において識別された硬貨がリジェクト貨幣に該当する場合、硬貨識別部２０６において識別された硬貨は、入金搬送部２０５ａによって硬貨払出部２０３に搬送されて硬貨払出部２０３から払い出される。一方、硬貨識別部２０６において識別された硬貨がリジェクト貨幣に該当しない場合、硬貨識別部２０６において識別された硬貨は、入金搬送部２０５ａによって硬貨収納部２０４に搬送されて硬貨収納部２０４に収納される。
【０１５７】
〈硬貨出金処理〉
また、この例では、搬送制御部２１は、貨幣処理装置１０において硬貨出金処理（貨幣処理の一例）が行われるように貨幣処理装置１０の動作を制御する。硬貨出金処理では、硬貨収納部２０４から繰り出された硬貨が硬貨払出部２０３に搬送される。具体的には、硬貨収納部２０４から繰り出された硬貨は、出金搬送部２０５ｂによって硬貨払出部２０３に搬送されて硬貨払出部２０３から払い出される。
【０１５８】
〈紙幣入金処理〉
また、この例では、搬送制御部２１は、貨幣処理装置１０において紙幣入金処理（貨幣処理の一例）が行われるように貨幣処理装置１０の動作を制御する。紙幣入金処理では、紙幣投入部３０２に投入された紙幣が紙幣識別部３０８において識別されて紙幣識別部３０８における識別結果に応じて紙幣払出部３０３または紙幣収納部３０４に搬送される。すなわち、紙幣入金処理は、投入部に投入された貨幣が識別部において識別されて識別部における識別結果に応じてリジェクト部または収納部に搬送される処理の一例である。そして、紙幣入金処理では、紙幣投入部３０２が投入部（貨幣が投入される投入部）に該当し、紙幣識別部３０８が識別部（貨幣を識別する識別部）に該当し、紙幣払出部３０３がリジェクト部（リジェクト貨幣が搬送されるリジェクト部）に該当し、紙幣収納部３０４が収納部（貨幣を収納する収納部）に該当する。
【０１５９】
具体的には、紙幣入金処理では、紙幣投入部３０２に投入された紙幣は、紙幣搬送部３０７によって紙幣識別部３０８に搬送されて紙幣識別部３０８において識別される。紙幣識別部３０８において識別された紙幣がリジェクト貨幣に該当する場合、紙幣識別部３０８において識別された紙幣は、紙幣搬送部３０７によって紙幣払出部３０３に搬送されて紙幣払出部３０３から払い出される。一方、紙幣識別部３０８において識別された紙幣がリジェクト貨幣に該当しない場合、紙幣識別部３０８において識別された紙幣は、紙幣搬送部３０７によって紙幣収納部３０４に搬送されて紙幣収納部３０４に収納される。
【０１６０】
〈紙幣出金処理〉
また、この例では、搬送制御部２１は、貨幣処理装置１０において紙幣出金処理（貨幣処理の一例）が行われるように貨幣処理装置１０の動作を制御する。紙幣出金処理では、紙幣収納部３０４から繰り出された紙幣が紙幣識別部３０８において識別されて紙幣識別部３０８における識別結果に応じて紙幣リジェクト部３０５または紙幣払出部３０３に搬送される。すなわち、紙幣出金処理は、収納部から繰り出された貨幣が識別部において識別されて識別部における識別結果に応じてリジェクト部または払出部に搬送される処理の一例である。そして、紙幣出金処理では、紙幣収納部３０４が収納部（貨幣の収納と操出を行う収納部）に該当し、紙幣識別部３０８が識別部（貨幣を識別する識別部）に該当し、紙幣リジェクト部３０５がリジェクト部（リジェクト貨幣が搬送されるリジェクト部）に該当し、紙幣払出部３０３が払出部（貨幣を払い出す払出部）に該当する。
【０１６１】
具体的には、紙幣出金処理では、紙幣収納部３０４から繰り出された紙幣は、紙幣搬送部３０７によって紙幣識別部３０８に搬送されて紙幣識別部３０８において識別される。紙幣識別部３０８において識別された紙幣がリジェクト貨幣に該当する場合、紙幣識別部３０８において識別された紙幣は、紙幣搬送部３０７によって紙幣リジェクト部３０５に搬送されて紙幣リジェクト部３０５に収納される。一方、紙幣識別部３０８において識別された紙幣がリジェクト貨幣に該当しない場合、紙幣識別部３０８において識別された紙幣は、紙幣搬送部３０７によって紙幣払出部３０３に搬送されて紙幣払出部３０３から払い出される。
【０１６２】
〔リジェクト制御部〕
実施形態１と同様に、リジェクト制御部２２は、同一のリジェクト要因によりリジェクト部にリジェクト貨幣が搬送される頻度が予め定められた出力条件を満たしている場合に、リジェクト貨幣に関するリジェクト情報を出力する。例えば、リジェクト制御部２２は、リジェクト情報を表示部４０２に出力してリジェクト情報を表示部４０２に表示させるように構成されている。
【０１６３】
また、リジェクト制御部２２は、貨幣処理（この例では硬貨入金処理と紙幣入金処理と紙幣出金処理）において貨幣の搬送が行われている期間中にリジェクト情報を出力する。または、リジェクト制御部２２は、貨幣処理（この例では硬貨入金処理と紙幣入金処理と紙幣出金処理）において貨幣の搬送が完了した後にリジェクト情報を出力する。
【０１６４】
〔リジェクト要因とリジェクト情報〕
この例では、リジェクト情報は、リジェクト貨幣のリジェクト要因に関する情報と、リジェクト要因の対処方法に関する情報と、リジェクト要因の想定される原因に関する情報とのうち少なくとも一方（この例では全部）を含んでいる。
【０１６５】
また、この例では、リジェクト情報は、各種処理毎に準備されている。例えば、紙幣入金処理では、図６に示すように、６つの要因（「重送・連鎖」と「斜行」と「端折れ」と「皺」と「欠損」と「取扱外」）がリジェクト要因に設定され、その６つのリジェクト要因に６つのリジェクト情報がそれぞれ対応付けられている。また、紙幣入金処理では、図１７に示すように、「重送・連鎖」という要因と「斜行」という要因と「端折れ」という要因と「金種違い」という要因がリジェクト要因に設定され、その４つのリジェクト要因に４つのリジェクト情報がそれぞれ対応付けられている。なお、これらのリジェクト情報は、記憶部４０３に記憶されている。
【０１６６】
また、この例では、図１７に示すように、紙幣出金処理に対応する４つのリジェクト情報の各々は、そのリジェクト情報に対応するリジェクト要因に関する情報と、そのリジェクト要因の対処方法に関する情報と、そのリジェクト要因の想定される原因に関する情報とを含んでいる。例えば、第１番目のリジェクト要因である「重送・連鎖」に対応する第１番目のリジェクト情報は、「紙幣の搬送異常（重送・連鎖）が多発しています」という「重送・連鎖」に関する説明文を示す情報と、「紙幣収納部の紙幣状態を確認してください」という「重送・連鎖」の対処方法に関する説明文を示す情報と、「釣紙幣として新札を紙幣収納部に装填した際に紙幣の捌きが不十分だった可能性があります」という「重送・連鎖」の想定される原因に関する説明文を示す情報とを含んでいる。
【０１６７】
〔出力条件〕
実施形態１と同様に、出力条件は、リジェクト頻度相関値（同一のリジェクト要因によりリジェクト部にリジェクト貨幣が搬送される頻度と相関のある値）が予め定められた出力閾値を上回るという条件である。例えば、リジェクト頻度相関値は、同一のリジェクト要因によりリジェクト部に連続して搬送されるリジェクト貨幣の連続枚数、同一のリジェクト要因によりリジェクト部に搬送されるリジェクト貨幣の合計枚数、貨幣処理において同一のリジェクト要因によりリジェクト部に搬送されるリジェクト貨幣の総合計枚数、貨幣処理において搬送される貨幣の総枚数に対して貨幣処理において同一のリジェクト要因によりリジェクト部に搬送されるリジェクト貨幣の総合計枚数が占める割合のいずれか１つに該当する。なお、リジェクト部は、硬貨入金処理における硬貨払出部２０３に該当し、紙幣入金処理における紙幣払出部３０３に該当し、紙幣出金処理における紙幣リジェクト部３０５に該当する。
【０１６８】
また、実施形態１と同様に、出力条件は、複数のリジェクト要因毎に定められている。そして、リジェクト制御部２２は、複数のリジェクト要因毎に、そのリジェクト要因によりリジェクト部にリジェクト貨幣が搬送される頻度がそのリジェクト要因に対応する出力条件を満たしている場合に、そのリジェクト貨幣に関するリジェクト情報を出力する。
【０１６９】
例えば、図７に示すように、第１〜第４出力条件が出力条件として準備され、補助出力条件も出力条件として補助的に準備されている。そして、紙幣入金処理における６つのリジェクト要因（図６に示した「重送・連鎖」と「斜行」と「端折れ」と「皺」と「欠損」と「取扱外」）の各々に、第１〜第４出力条件と補助出力条件のいずれか１つが対応付けられている。これと同様に、紙幣出金処理における４つのリジェクト要因（図１７に示した「重送・連鎖」と「斜行」と「端折れ」と「金種違い」）の各々に、第１〜第４出力条件と補助出力条件のいずれか１つが対応付けられている。なお、第１〜第４出力条件と補助出力条件は、記憶部４０３に記憶されている。
【０１７０】
〈リジェクト情報の出力〉
例えば、紙幣出金処理において「重送・連鎖」というリジェクト要因によりリジェクト部（具体的には紙幣リジェクト部３０５）にリジェクト貨幣が搬送される頻度が「重送・連鎖」というリジェクト要因に対応する出力条件を満たしている場合、リジェクト制御部２２は、「重送・連鎖」というリジェクト要因に対応するリジェクト情報を表示部４０２に出力する。表示部４０２は、リジェクト制御部２２により出力されたリジェクト情報（「重送・連鎖」というリジェクト要因に対応するリジェクト情報）を表示する。これにより、図１８に示すようなリジェクト情報が表示部４０２に表示される。なお、表示部４０２には、リジェクト情報とともに、リジェクト情報の表示を終了させるためのアイコン（図１８では「ＯＫ」と記載されたアイコン）が表示される。
【０１７１】
〔実施形態２による効果〕
実施形態２による貨幣処理装置１０では、実施形態１による貨幣処理装置１０と同様の効果を得ることができる。例えば、リジェクト貨幣に関するリジェクト情報を出力することにより、リジェクト要因を有する貨幣（この例では硬貨または紙幣）があることを確認させることができる。また、同一のリジェクト要因によりリジェクト部にリジェクト貨幣が搬送される頻度が出力条件を満たしている場合（具体的にはリジェクト頻度相関値が出力閾値を上回る場合）にリジェクト情報を出力することにより、同一のリジェクト要因によりリジェクト部にリジェクト貨幣が搬送される毎にリジェクト情報が出力されることを防止することができる。これにより、情報過多による煩わしさを軽減することができる。
【０１７２】
なお、実施形態１と同様に、出力条件は、変更可能となっていてもよい。このように、出力条件を変更可能とすることにより、出力条件を適切に設定することができる。
【０１７３】
例えば、リジェクト制御部２２は、操作部４０１または操作表示部２０７に与えられた操作（出力条件を変更するための操作）に応答して、記憶部４０３に記憶されている出力条件を変更するように構成されていてもよい。
【０１７４】
また、リジェクト制御部２２は、ホストサーバ３０から送信された出力条件の更新情報（リジェクト要因と出力条件とが対応付けられた情報）を受信し、その更新情報に基づいて記憶部４０３に記憶されている出力条件を変更するように構成されていてもよい。
【０１７５】
（その他の実施形態）
なお、以上の説明では、リジェクト情報が画像として出力される場合を例に挙げたが、リジェクト情報は、音声として出力されてもよい。例えば、リジェクト制御部２２は、リジェクト情報を音声再生部（図示を省略）に出力するように構成されていてもよい。音声再生部は、リジェクト制御部２２により出力されリジェクト情報を音声として再生する。これにより、リジェクト情報が音声として出力される。また、リジェクト情報は、印字媒体（例えばレシート）に印字されてもよい。例えば、リジェクト制御部２２は、リジェクト情報を印字部（図示を省略）に出力するように構成されていてもよい。印字部は、リジェクト制御部２２により出力されたリジェクト情報を印字媒体に印字する。これにより、リジェクト情報が印字媒体に印字される。
【０１７６】
また、リジェクト制御部２２は、リジェクト情報を管理コンピュータ（図示を省略）やタブレット端末（図示を省略）やスマートフォン（図示を省略）やホストサーバ３０などの外部端末に出力するように構成されていてもよい。外部端末は、リジェクト制御部２２により出力されたリジェクト情報を表示する。または、外部端末は、リジェクト制御部２２により出力されたリジェクト情報を音声として再生する。これにより、外部端末の操作者は、リジェクト要因を有する貨幣があることを確認することができる。
【０１７７】
また、リジェクト制御部２２は、貨幣処理装置１０の操作者のレベルに応じて出力条件を変更するように構成されていてもよい。例えば、リジェクト制御部２２は、操作者による操作表示部１１５（または操作部４０１，操作表示部２０７）の操作によって入力された操作者情報（操作者を特定するための情報、例えばＩＤ）に基づいて操作者のレベルを判定し、貨幣処理装置１０の操作者が初心者（初級レベル）である場合に、出力条件において要求されている頻度（同一のリジェクト要因によりリジェクト部にリジェクト貨幣が搬送される頻度）が比較的に低くなるように（具体的には出力条件に示されたリジェクト頻度相関値に対する出力閾値が比較的に小さくなるように）出力条件を変更するものであってもよい。このような制御により、初心者に対して丁寧な誘導が可能となる。
【０１７８】
また、リジェクト制御部２２は、貨幣処理においてリジェクト情報が出力された後に貨幣が再び搬送される場合に出力条件を変更するように構成されていてもよい。
【０１７９】
また、以上の説明では、貨幣処理装置が貨幣の一例である紙幣や硬貨を処理するように構成されている場合を例に挙げたが、これに限らず、貨幣処理装置は、小切手や商品券などの有価媒体（貨幣の一例）を処理するように構成されていてもよい。
【０１８０】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０１８１】
以上説明したように、ここに開示する技術は、貨幣を処理する貨幣処理装置として有用である。
【符号の説明】
【０１８２】
１０          貨幣処理装置
２１          搬送制御部
２２          リジェクト制御部
１００        筐体
１０１        投入部
１０２        リジェクト部
１０３        外部集積部
１０４        上部投出部
１０５        下部投出部
１０６        内部集積部
１０７        第１搬送部
１０８        識別部
１０９        第１反転部
１１０        第２反転部
１１１        帯封部
１１２        印字部
１１３        第２搬送部
１１４        第３搬送部
１１５        操作表示部
１１６        記憶部
１１７        制御部
１１８        搬送部
２００        硬貨釣銭機
２０１        硬貨側筐体
２０２        硬貨投入部
２０３        硬貨払出部
２０４        硬貨収納部
２０５        硬貨搬送部
２０６        硬貨識別部
２０７        操作表示部
２０８        硬貨側制御部
３００        紙幣釣銭機
３０１        紙幣側筐体
３０２        紙幣投入部
３０３        紙幣払出部
３０４        紙幣収納部
３０５        紙幣リジェクト部
３０６        回収部
３０７        紙幣搬送部
３０８        紙幣識別部
３０９        紙幣側制御部
４００        制御端末機
４０１        操作部
４０２        表示部
４０３        記憶部
４０４        制御部
【図１】
2019079178.tif 000003
【図２】
2019079178.tif 000004
【図３】
2019079178.tif 000005
【図４】
2019079178.tif 000006
【図５】
2019079178.tif 000007
【図６】
2019079178.tif 000008
【図７】
2019079178.tif 000009
【図８】
2019079178.tif 000010
【図９】
2019079178.tif 000011
【図１０】
2019079178.tif 000012
【図１１】
2019079178.tif 000013
【図１２】
2019079178.tif 000014
【図１３】
2019079178.tif 000015
【図１４】
2019079178.tif 000016
【図１５】
2019079178.tif 000017
【図１６】
2019079178.tif 000018
【図１７】
2019079178.tif 000019
【図１８】
2019079178.tif 000020